(57)【要約】【課題】一般の使用者が自宅で手軽に自ら歯のホワイトニング及びクリーニングの過程を完了でき、装置を使用とする複雑な工程を不要とする歯磨き剤用軟質チューブ及びその蓋体を提供すること。【解決手段】内部に密閉空間を備える軟質チューブ本体３の頂部３１に開口部３２が設けられ、開口部３２に着脱自在に取り付けられる蓋体１は、上蓋１０と、蓋板１１と、光源モジュール２０を含み、上蓋１０が収容空間を備え、蓋板１１が上蓋１０と結合されて収容空間を閉鎖し、光源モジュール２０は発光可能であって収容空間内に設置され、光源モジュール２０が発生した光は蓋板１１から外部に伝送される。【選択図】図２
0003202890.tif 000002
【実用新案登録請求の範囲】
【請求項１】
歯磨き剤用軟質チューブであって、軟質チューブ本体と、蓋体とを含み、
前記軟質チューブ本体が内部に密閉空間を備え、かつ前記軟質チューブ本体の頂部に開口部が設けられ、
前記蓋体は、上蓋と、蓋板と、光源モジュールを含み、前記軟質チューブ本体の開口部に着脱自在に取り付けられ、取付時に前記開口部を閉鎖し、
前記上蓋が収容空間を備え、
前記蓋板が、前記上蓋と結合されて前記収容空間を閉鎖し、
前記光源モジュールは、発光可能であって前記収容空間内に設置され、前記光源モジュールが発生した光は前記蓋板から外部に伝送される、
ことを特徴とする、歯磨き剤用軟質チューブ。
【請求項２】
前記光源モジュールが、
光を発生する発光ユニットと、
前記発光ユニットに接続され、前記発光ユニットに必要な電力を提供する電力ユニットと、
前記発光ユニットに接続され、前記発光ユニットの動作状態を制御するセンサーユニットと、
を含むことを特徴とする、請求項１に記載の歯磨き剤用軟質チューブ。
【請求項３】
前記軟質チューブ本体の頂部が前記センサーユニットに当接して、前記発光ユニットの発光を停止させることを特徴とする、請求項２に記載の歯磨き剤用軟質チューブ。
【請求項４】
前記蓋板が光を透過する材質であることを特徴とする、請求項１に記載の歯磨き剤用軟質チューブ。
【請求項５】
前記光源モジュールが、手動操作により該光源モジュールの動作状態を制御する制御ユニットに接続されたことを特徴とする、請求項１に記載の歯磨き剤用軟質チューブ。
【請求項６】
請求項１〜５のいずれかに記載の歯磨き剤用軟質チューブの蓋体。
【考案の詳細な説明】
【技術分野】
【０００１】
本考案は、使用者の口腔清浄化及び歯のホワイトニングの補助に用いることができる、歯磨き剤用軟質チューブ及びその蓋体に関する。
【背景技術】
【０００２】
古くから人々は外見と礼儀に一定の要求があるが、科学技術が発達した現今、美容に対する要求はより普遍的になっている。人々の美に対する追求は五官、スタイルから肌、歯に至るまですべてが注目の的となっている。
たとえば、歯を例とすると、長期的なコーヒー、コーラ、茶、有色の食品（醤油）等の摂取や喫煙、ビンロウなどの嗜みといった普段の飲食習慣によって一般に歯は黄ばむ。
このほか、加齢、歯の石灰化、歯磨きの習慣と頻度などの外在要因も歯の変色の原因となり得る。たとえば、テトラサイクリン薬剤、飲用水中の残留銅、水銀、鉛、鉄イオン等の服用もそうである。あるいは根管治療を受けたことがある歯、または外傷により神経が壊死したりヘムが沈殿したりした歯も、養分の欠乏により歯がくすんだ色になる。そうなると人は歯を見せて笑うことが億劫になったり、さらには自信を喪失したりすることさえある。
【０００３】
前述の歯の色の問題に鑑み、米国歯科学会（ＡＤＡ）は「歯のホワイトニング」の定義を発展させた。つまり、歯を明らかにより白く（ｗｈｉｔｅｒ）する過程である。この過程には歯のエナメル質及び汚れや色素をきれいにする工程が含まれ、現在周知の方法には、冷光ホワイトニング、レーザーホワイトニング、ホームホワイトニング、ホワイトニングテープ、差し歯装着等がある。
一般的に、ホームホワイトニングを指導する歯科医は患者に自宅で自らホワイトニングを行わせており、原理によれば効果は悪くないはずであるが、効果が現れるまでに時間がかかり、かつ歯が過敏になり痛みを生じやすく、迅速な効果を求める忙しい現代人には歓迎されなくなっている。レーザーホワイトニングは薬剤の濃度が高すぎ、歯が脱灰と脱水を生じやすく、敏感な人は痛みを感じることがある。
【０００４】
近年、新たに研究開発された冷光ホワイトニング装置は、歯表面及び深層の色素を除去し、歯のホワイトニング効果を達する。この冷光ホワイトニング装置の原理は、特定の波長（たとえば４８０〜５２０ナノメートルの間のブルーライト）を光ファイバーで伝導し、特殊処理を経た光学レンズですべての有害な紫外線と赤外線を除去してから、歯の上に塗布された特殊なホワイトニング剤の上に照射し、最短の時間内に象牙細管を通じてホワイトニング剤と長年歯の表面及び深層に蓄積された色素に酸化還元作用を生じさせ、歯の着色前の白さを取り戻すというものである。しかし、この歯のホワイトニングにはやはり機器を使用する必要があり、一般的な使用者にとって不便であった。
【考案の概要】
【考案が解決しようとする課題】
【０００５】
本考案が解決しようとする課題は、上述の問題を解決し、一般の使用者が自宅で手軽に自ら歯のホワイトニング及びクリーニングの過程を完了でき、装置を使用する複雑な工程を不要とする歯磨き剤用軟質チューブ及びその蓋体を提供することにある。
【課題を解決するための手段】
【０００６】
本考案の歯磨き剤用軟質チューブは、軟質チューブ本体と、蓋体とを含み、前記軟質チューブ本体が内部に密閉空間を備え、かつ前記軟質チューブ本体の頂部に開口部が設けられ、前記蓋体は、上蓋と、蓋板と、光源モジュールを含み、前記軟質チューブ本体の開口部に着脱自在に取り付けられ、取付時に前記開口部を閉鎖し、前記上蓋が収容空間を備え、前記蓋板が、前記上蓋と結合されて前記収容空間を閉鎖し、前記光源モジュールは、発光可能であって前記収容空間内に設置され、前記光源モジュールが発生した光は前記蓋板から外部に伝送される。
【０００７】
前記光源モジュールが、光を発生する発光ユニットと、前記発光ユニットに接続され、前記発光ユニットに必要な電力を提供する電力ユニットと、前記発光ユニットに接続され、前記発光ユニットの動作状態を制御するセンサーユニットとを含むことがある。
この場合、前記軟質チューブ本体の頂部が前記センサーユニットに当接して、前記発光ユニットの発光を停止させることが望ましい。
前記蓋板は光を透過する材質としてもよい。
前記光源モジュールが、手動操作により該光源モジュールの動作状態を制御する制御ユニットに接続されることがある。
【考案の効果】
【０００８】
本考案によれば、軟質チューブ本体中に特定成分を含む歯磨き剤を充填しておけば、この歯磨き剤を塗布した歯に蓋体から特定波長の光を照射し、複雑な装置を使用する事無く、一般の使用者が手軽に口腔清浄化及び歯のホワイトニングを行うことができる。
【図面の簡単な説明】
【０００９】
【図１】本考案の実施例１に係る歯磨き剤用軟質チューブの蓋体の分解斜視図である。
【図２】本考案の実施例１を示す歯磨き剤用軟質チューブ及びその蓋体の蓋体取り外し状態における要部斜視図である。
【図３】本考案の実施例１を示す歯磨き剤用軟質チューブ及びその蓋体の蓋体取り外し状態における別角度から見た要部斜視図である。
【図４】本考案の実施例１を示す歯磨き剤用軟質チューブ及びその蓋体の蓋体取り付け状態における斜視図である。
【図５】本考案の実施例１を示す歯磨き剤用軟質チューブ及びその蓋体の蓋体取り外し状態における要部断面図である。
【図６】本考案の実施例１を示す歯磨き剤用軟質チューブ及びその蓋体の蓋体取り付け状態における要部断面図である。
【図７】本考案の実施例２に係る歯磨き剤用軟質チューブの蓋体の斜視図である。
【考案を実施するための形態】
【００１０】
以下、本考案の実施例を図面に基づいて詳細に説明する。
図１〜図６は、本考案の実施例１を示す。
本考案の歯磨き剤用軟質チューブは、図２〜図４に示すように、軟質チューブ本体３と、蓋体１とを含む。
軟質チューブ本体３は、内部に密閉空間を備え、かつ軟質チューブ本体３の頂部３１に筒状の開口部３２が設けられる。開口部３２の外周囲には雄ねじ１２が形成されている。
【００１１】
蓋体１は、図１に示すように、上蓋１０、蓋板１１、光源モジュール２０を含む。
上蓋１０は、一端面が開口した筒状であって、内部に収容空間を備える。また、上蓋１０の他端面には穿孔が形成され、他端面の中心部には両端面が開口した円筒が中心軸に沿って設けられる。
蓋板１１は、光を透過する材質で形成され、上蓋１０の一端面に結合されて、上蓋１０の収容空間を閉鎖する。また、蓋板１１の内面には中心線に沿って雌ねじ１２が設けられ、雌ねじ１２が上蓋１０の円筒内に挿通される。
そして、蓋板１１の雌ねじ１２を、軟質チューブ本体３の開口部３２の雄ねじと螺合することにより、蓋体１が軟質チューブ本体３に取り付けられ、開口部３２は蓋体１によって閉鎖される（図４）。
【００１２】
光源モジュール２０は、発光可能であって、蓋体１の収容空間内に設置される。光源モジュール２０が発した光は蓋板１１から外部に伝送される。
光源モジュール２０は、センサーユニット２１、発光ユニット２２、電力ユニット２３を含む。発光ユニット２２は光を発生する。電力ユニット２３は発光ユニット２２に接続され、電力ユニット２３が発光ユニット２２に必要な電力を提供する。センサーユニット２１は発光ユニット２２に接続され、発光ユニット２２の動作状態を制御する。実施例１では、センサーユニット２１は蓋体１が軟質チューブ本体３上から離脱しているか否かを検出した上で、光源モジュール２０の動作状態を決定される。
センサーユニット２１はマイクロスイッチ等の素子とすることができ、このマイクロスイッチの検出点が上蓋１０の穿孔に挿通される。上蓋１０の穿孔は、蓋体１を軟質チューブ本体３の開口部３２に取り付けた時、軟質チューブ本体３の頂部３１がセンサーユニット２１の検出点にちょうど当接する位置に形成される。
【００１３】
図５に示すように、蓋体１が軟質チューブ本体３から離脱した状態では、センサーユニット２１がチューブ頂部３１と分離されてオンの状態となり、光源モジュール２０中の電力ユニット２３の電力が発光ユニット２２に伝送され、発光ユニット２２が発光して光を蓋板１１から前方へ投射し、使用者が歯及び口腔に照射することができる。
一方、図６に示すように、蓋体１が軟質チューブ本体３と結合された状態では、センサーユニット２１は軟質チューブ本体３の頂部３１に当接されてオフの状態となり、光源モジュール２０中の電力ユニット２３の電力が発光ユニット２２に伝送されず、発光ユニット２２による光の生成が停止される。
【００１４】
図７は、本考案の実施例２を示す。実施例２は実施例１とほぼ同じ構成を有し、蓋体１が上蓋１０、蓋板１１、光源モジュール２０を含む。上蓋１０は内部に収容空間を備え、蓋板１１と上蓋１０が結合され、光源モジュール２０は蓋体１の収容空間内に設置され、光を発生して蓋板１１から外部に伝送する。
光源モジュール２０は、センサーユニット２１、発光ユニット２２、電力ユニット２３を含む。発光ユニット２２は光を発生し、電力ユニット２３は、発光ユニット２２に接続されて、発光ユニット２２に必要な電力を提供し、センサーユニット２１は発光ユニット２２に接続されて、発光ユニット２２の動作状態を制御する。
【００１５】
実施例２において、実施例１との違いは上蓋１０にさらに制御ユニット１３が設置されている点である。
制御ユニット１３は、手動操作により光源モジュール２０の動作状態を制御するものであって、使用者が蓋体１上の制御ユニット１３を直接押して光を発生でき、使用上より便利である。
【００１６】
この歯磨き剤用軟質チューブ及びその蓋体は、蓋体から直接特定波長の光を発生し、歯磨き剤用軟質チューブの内容剤と組み合わせて使用することにより、従来の歯のホワイトニングにおける複雑な工程を簡略化し、使用者にとっての利便性を大幅に高めることができる。
以上は、本考案の実施例の説明であって、本考案の権利範囲を限定するものではなく、本考案の実用新案登録請求の範囲を逸脱しない変更や修飾、例えば、蓋体の各部材の設置位置等の変更はいずれも本考案の権利範囲に含まれる。
【符号の説明】
【００１７】
１    蓋体
３    軟質チューブ本体
１０  上蓋
１１  蓋板
１２  雌ねじ
１３  制御ユニット
２０  光源モジュール
２１  センサーユニット
２２  発光ユニット
２３  電力ユニット
３１  頂部
３２  開口部
【図１】
0003202890.tif 000003
【図２】
0003202890.tif 000004
【図３】
0003202890.tif 000005
【図４】
0003202890.tif 000006
【図５】
0003202890.tif 000007
【図６】
0003202890.tif 000008
【図７】
0003202890.tif 000009